(57)【要約】      （修正有）【課題】発光体が輝く状態になり、より輝き反射警告効果が得られる自発性輝きトライアングル警告器を提供する。【解決手段】蛍光トライアングル体１と、超強い磁石固定座２と、LED発光体装置３とからなり、当該蛍光トライアングル体の内側に、LED発光体３０が収納され、当該蛍光トライアングルの裏側に、反射ペンキをスプレーすることや反射板を設置することができ、当該超強い磁石固定座が、回転できるように、蛍光トライアングル体の底部に設けられ、当該LED発光体装置のLED発光体は、当該蛍光トライアングル体の内側に設けられ、電源３２を提供することと計数器３１０を設計する。【選択図】図１
0003115425.tif 000002
【実用新案登録請求の範囲】
【請求項１】
内側に収納空間があり、当該収納空間は、複数の単体LED発光素子からなるLED発光体が収納され、底部に、台形反射カバーとその外部を覆う菱形透過シートが設けられる、蛍光トライアングル体と、
当該蛍光トライアングル体の底部に設けられ、車体の鋼板に吸着できる強力な磁石があり、また、当該蛍光トライアングル体に対して回転できるようである、超強い磁石固定座と、
主として、LED発光体、制御回路板及び電源供給のための電源線からなり、LED発光体が順に複数のLED単体発光素子からなり、当該順に組み立てられるLED単体発光素子が、収納空間に収納され、また、電源線が接続され、当該電源線が、電源供給を介して対応する電源を負荷発光体へ供給し、また、制御回路板が負荷電源を計数して、ネオンのようにシーケンス発光をする、LED発光体装置と、が含有される、
ことを特徴とする自発性輝きトライアングル警告器。
【請求項２】
当該電源供給には、表示ランプが設けられる、ことを特徴とする請求項１に記載の自発性輝きトライアングル警告器。
【請求項３】
当該蛍光トライアングル体の裏側に、反射ペンキをスプレーすることや反射板を設置する、ことを特徴とする請求項１に記載の自発性輝きトライアングル警告器。
【考案の詳細な説明】
【技術分野】
【０００１】
本考案は、自発性輝きトライアングル警告器に関し、特に、より安全的、簡単的、明白的、実用的、そして、幅広く適用されるトライアングル警告器に関する。
【背景技術】
【０００２】
従来の一般のトライアングル警告構成は、一組の三角反射板からなり、自動車やバス或いはバイク等が、故障になる場合、三角反射板を取り出して開いて、固定器により地面に立つようにし、夜間走行する時、オンされるヘッドライトが、三角反射板に照射して反射される作用により、警告作用が発生するが、このような構成からなる三角反射板は、受動モードで、ヘッドライトの光が、反射板を照射して反射される時、後から来る自動車のドライバーに警告する作用が発生され、三角反射板が、はっきり見える場所でない場所に置かれる場合や正しくない位置に置かれる場合、ヘッドライトの光が反射板を照射しなくて反射の効果が得られず、確実的に警告しようとする位置を指示できないため、警告の作用が実現されない、また、従来の一般の、トライアングルを支持する固定器が安定的でないため、振動や風により、倒れることが往々であり、支持があるといってもトライアングルをスタントさせて警告を提示する実用性が実現できない。
【０００３】
そのため、従来の三角反射板の構成により、警告の強度が不足であり、受動的な警告であり、そして、警告位置を選別しなければならなく、運用する時、不安定な状態であるため、実用上、解決しなければならない問題が残っている。
【考案の開示】
【考案が解決しようとする課題】
【０００４】
本考案の目的は、運用が簡単的且つ実用的である自発性輝きトライアングル警告器を提供する。
【課題を解決するための手段】
【０００５】
発光体が輝く状態であり、蛍光トライアングルの収納空間に収納される台形反射カバーと、その外部を覆う菱形透過シートとによる散光効果に合わせ、トライアングル警告器が、光源を持ち、絶えずに輝くことが出来る、自発性輝きトライアングル警告器を提供する。
【考案を実施するための最良の形態】
【０００６】
図１〜６を参照しながら、本考案に係わる自発性輝きトライアングル警告器であり、上記のトライアングル警告器は、
三角形であり、内側に収納空間10があり、当該収納空間10は、複数のLED単体発光素子300からなるLED発光体30が収納され、底部に、台形反射カバー100とその外部を覆う菱形透過シート101が設けられ、前記の台形反射カバー100と菱形透過シート101との散光効果により、反射光源の警告距離を増大され、また、トライアングル体の裏側に反射ペンキをスプレーすることや反射板11を設置することが出来る、蛍光トライアングル体1と、
蛍光トライアングル体1の底部に設けられ、上部にある強力な磁石20により、車体の鋼板に吸着でき、また、蛍光トライアングル体1に対して回転できるようである、超強い磁石固定座2と、
主として、LED発光体30、制御回路板31及び電源供給32のための電源線33からなり、LED発光体30が順に複数のLED単体発光素子300からなり、当該LED単体発光素子300が、発光ダイオード(Light
Emitting Diode、LED)である、LED発光体装置3と、が含有され、
順に組み立てられるLED単体発光素子300は、収納空間10内に収納され、電源線33が接続され、当該電源線33が、電源供給32を介して対応する電源を負荷発光体30へ供給し、また、制御回路板31が555計数器310で負荷電源を計数することによりシーケンス発光をする設計により、一方、LED単体発光素子300が輝く状態になり、また、LED発光体30全体の発光過程について計算して、順にLED発光体30を設定することにより、ネオンのように順に輝き、
電源供給32上に、表示するための表示ランプ320が設けられ、表示ランプ320が点灯する場合、稼働中を示し、これにより、ユーザーに、使用しない時電源を切ることを注意させ、必要とする場合の電源を確保でき、より安全的になる。
【０００７】
そして、図７を参照しながら、本考案は、当該電源供給32が電源線33の提供した電源と、制御回路板の555計数器310で負荷電源を計数することによりシーケンス発光をする設計により、そして、収納空間10の底部に収納される台形反射カバー100とその外部を覆う菱形透過シート101とが有する散光効果により、トライアングル警告器は、光源の順に絶えずに輝き、これにより、輝き反射の警告効果が強化されてより安全的になる。
【０００８】
ユーザーの車が故障になると、本考案に係わる自発性輝きトライアングル警告器を取り出して超強い磁石固定座2を適当な位置に回転し、蛍光トライアングル体1を固定することにより、警告機能が実現され、超強い磁石固定座2を車やフードの上部に設置すると、強力な磁石20により、車体の鋼板に吸着し、また、当時の道路情況に従って危険が発生する恐れのある方向に対して、適当な位置に蛍光トライアングル体1を設置し、そして、トライアングル警告器を固定して、電源供給32をオンし表示ランプ320が点灯して稼働状態になり、回路板の555計数器310が負荷電源を計数しシーケンス発光し、順にLED発光体30を設定することにより、ネオンのように、絶えずに順に輝き、また、トライアングルの収納空間10の底部に収納される台形反射カバー100とその外部を覆う菱形透過シート101とが有する散光効果により、LED発光体30の光源が反射され、より長距離の警告効果が得られ、トライアングル警告器は、光源の順に絶えずに且つ長距離に輝き、これにより、輝き反射の警告効果が強化されてより安全的になる。
【図面の簡単な説明】
【０００９】
【図１】本考案の外観の立体概念図
【図２】本考案の外観の立体分解概念図
【図３】本考案の側面断面概念図
【図４】本考案の制御回路板の電子回路図
【図５】本考案の一部構成の側面断面概念図
【図６】本考案の他の一部構成の側面断面概念図
【図７】本考案の実施例概念図
【符号の説明】
【００１０】
1  蛍光トライアングル体
10  収納空間
100  台形反射カバー
101  菱形透過シート
11  反射ペンキや反射板
2  超強い磁石固定座
20  強力な磁石
3  LED発光体装置
30  LED発光体
300  LED単体発光素子
31  制御回路板
310  555計数器  
32  電源供給
320  表示ランプ
33  電源線
【図１】
0003115425.tif 000003
【図２】
0003115425.tif 000004
【図３】
0003115425.tif 000005
【図４】
0003115425.tif 000006
【図５】
0003115425.tif 000007
【図６】
0003115425.tif 000008
【図７】
0003115425.tif 000009